(57)【要約】【課題】用紙に応じて用紙の反りの矯正を行うことができる用紙案内装置、定着装置、及び画像形成装置を得る。【解決手段】画像形成装置１０の用紙案内部５０は案内板７８を有している。案内板７８は、用紙Ｙを挟んで反りを矯正する矯正部６０の上流側に設けられており、ソレノイド８０により移動され、用紙Ｙに合わせて用紙Ｙの矯正部６０への接触位置を変更する。ここで、用紙Ｙが厚いときは反りが比較的小さいので、案内板７８は、矯正部６０の接触部Ｎに向けて用紙Ｙを案内する。一方、用紙Ｙが薄いときは用紙Ｙの反りが比較的大きいので、案内板７８は、接触部Ｎから離れた部位に用紙Ｙの先端が接触するように用紙Ｙを案内する。これにより、用紙Ｙの先端が矯正部６０の接触部Ｎに行くまでに反りが矯正され始めるので、大きい反りとなる薄い用紙Ｙであっても反りが矯正される。【選択図】図３
2011116494.tif 000002
【特許請求の範囲】
【請求項１】
一対の回転部材で用紙を挟んで反りを矯正する矯正手段と、
前記矯正手段の用紙搬送方向の上流側に設けられて用紙を該矯正手段に案内するとともに、用紙の搬送方向の先端部と前記矯正手段との接触位置を変更可能とした位置変更手段と、
を有する用紙案内装置。
【請求項２】
前記位置変更手段は、用紙の搬送方向の少なくとも先端部を載せて移動する移動部材を含み、該移動部材における用紙搬送方向下流端が前記矯正手段に対して上下に移動する請求項１に記載の用紙案内装置。
【請求項３】
前記移動部材は、前記矯正手段に対する前記用紙の搬送方向の上流側の部分を支点として揺動する請求項２に記載の用紙案内装置。
【請求項４】
前記矯正手段の下流側には、前記矯正手段で矯正された用紙を前記搬送方向の下流側に案内する案内部材が設けられ、
前記移動部材は、下側に移動した状態で前記案内部材よりも上方に位置している請求項２又は請求項３に記載の用紙案内装置。
【請求項５】
前記移動部材は、前記矯正手段に対する前記用紙の搬送方向の上流側から下流側まで延在されている請求項２又は請求項３に記載の用紙案内装置。
【請求項６】
前記用紙の種類に応じて前記位置変更手段の位置を制御する位置制御手段が設けられている請求項１から請求項５のいずれか１項に記載の用紙案内装置。
【請求項７】
用紙の搬送方向の上流側で該用紙の現像剤を加熱して該用紙に定着する定着部を有し、
前記定着部に請求項１から６のいずれか１項に記載の用紙案内装置を設けた定着装置。
【請求項８】
請求項１から６のいずれか１項に記載の用紙案内装置と、
前記用紙案内装置に搬送される用紙に画像を形成する画像形成部と、
を有する画像形成装置。
【請求項９】
請求項７に記載の定着装置と、
前記定着装置に搬送される用紙に画像を形成する画像形成部と、
を有する画像形成装置。
【発明の詳細な説明】
【技術分野】
【０００１】
本発明は、用紙案内装置、定着装置、及び画像形成装置に関する。
【背景技術】
【０００２】
従来、表面硬度が相対的に高い硬質ロールと表面硬度が相対的に低い弾性ロールとで用紙を挟み、用紙の反りを矯正する矯正手段を設けた画像形成装置がある（例えば、特許文献１参照）。
【０００３】
特許文献１の画像形成装置は、シート材の反りの状態に応じて硬質ロールと弾性ロールの軸間距離を変更することで、弾性ロールへの硬質ロールの侵入量を変更し、シート材の反りを矯正している。
【先行技術文献】
【特許文献】
【０００４】
【特許文献１】特開平０４−１６４７７２号公報
【発明の概要】
【発明が解決しようとする課題】
【０００５】
本発明は、用紙に応じて用紙の反りの矯正を行うことができる用紙案内装置、定着装置、及び画像形成装置を得ることを目的とする。
【課題を解決するための手段】
【０００６】
本発明の請求項１に係る用紙案内装置は、一対の回転部材で用紙を挟んで反りを矯正する矯正手段と、前記矯正手段の用紙搬送方向の上流側に設けられて用紙を該矯正手段に案内するとともに、用紙の搬送方向の先端部と前記矯正手段との接触位置を変更可能とした位置変更手段と、を有する。
【０００７】
本発明の請求項２に係る用紙案内装置は、前記位置変更手段は、用紙の搬送方向の少なくとも先端部を載せて移動する移動部材を含み、該移動部材における用紙搬送方向下流端が前記矯正手段に対して上下に移動する。
【０００８】
本発明の請求項３に係る用紙案内装置は、前記移動部材は、前記矯正手段に対する前記用紙の搬送方向の上流側の部分を支点として揺動する。
【０００９】
本発明の請求項４に係る用紙案内装置は、前記矯正手段の下流側には、前記矯正手段で矯正された用紙を前記搬送方向の下流側に案内する案内部材が設けられ、前記移動部材は、下側に移動した状態で前記案内部材よりも上方に位置している。
【００１０】
本発明の請求項５に係る用紙案内装置は、前記移動部材は、前記矯正手段に対する前記用紙の搬送方向の上流側から下流側まで延在されている。
【００１１】
本発明の請求項６に係る用紙案内装置は、前記用紙の種類に応じて前記位置変更手段の位置を制御する位置制御手段が設けられている。
【００１２】
本発明の請求項７に係る定着装置は、用紙の搬送方向の上流側で該用紙の現像剤を加熱して該用紙に定着する定着部を有し、前記定着部に請求項１から６のいずれか１項に記載の用紙案内装置を設けている。
【００１３】
本発明の請求項８に係る画像形成装置は、請求項１から６のいずれか１項に記載の用紙案内装置と、前記用紙案内装置に搬送される用紙に画像を形成する画像形成部と、を有する。
【００１４】
本発明の請求項９に係る画像形成装置は、請求項７に記載の定着装置と、前記定着装置に搬送される用紙に画像を形成する画像形成部と、を有する。
【発明の効果】
【００１５】
請求項１の発明は、用紙に応じて用紙の反りの矯正を行うことができる。
【００１６】
請求項２の発明は、用紙の先端部を矯正手段に対して任意の接触位置に接触させることができる。
【００１７】
請求項３の発明は、用紙の先端部と移動部材との接触角度を相対的に大きく変更せずに、用紙の先端部が矯正手段と接触する際には任意の接触位置に接触させることができる。
【００１８】
請求項４の発明は、案内部材に用紙が引っ掛かるのを防ぐことができる。
【００１９】
請求項５の発明は、矯正手段における用紙の案内部材を不要とすることができる。
【００２０】
請求項６の発明は、用紙の種類に応じて、位置変更手段の位置を変更することができる。
【００２１】
請求項７の発明は、熱によって用紙が反ってしまっても、用紙に応じて反りの矯正を行うことができる。
【００２２】
請求項８の発明は、画像形成後の用紙の反りを用紙に応じて矯正することができる。
【００２３】
請求項９の発明は、画像形成後の用紙の反りを用紙に応じて矯正することができる。
【図面の簡単な説明】
【００２４】
【図１】本発明の第１実施形態に係る画像形成装置の全体図である。
【図２】本発明の第１実施形態に係る画像形成ユニットの構成図である。
【図３】本発明の第１実施形態に係る定着部、案内部、及び矯正部の構成図である。
【図４】（ａ）本発明の第１実施形態に係る案内部を矯正部側から見た状態を示す斜視図である。（ｂ）本発明の第１実施形態に係る案内板の斜視図である。
【図５】本発明の第１実施形態に係る案内板を移動させるための制御系を機能的に示したブロック図である。
【図６】（ａ）本発明の第１実施形態に係る案内部を用いて厚い用紙を矯正部に案内する状態を示す部分図である。（ｂ）本発明の第１実施形態に係る案内部で矯正される前後の厚い用紙の反り状態の変化を示す模式図である。
【図７】（ａ）本発明の第１実施形態に係る案内部を用いて薄い用紙を矯正部に案内する状態を示す部分図である。（ｂ）本発明の第１実施形態に係る案内部で矯正される前後の薄い用紙の反り状態の変化を示す模式図である。
【図８】（ａ）、（ｂ）、（ｃ）本発明の第１実施形態に係る案内部の他の第１実施例、第２実施例、及び第３実施例を示す部分図である。
【図９】本発明の第２実施形態に係る定着部、案内部、及び矯正部の構成図である。
【図１０】（ａ）本発明の第２実施形態に係る案内部を矯正部側から見た状態を示す斜視図である。（ｂ）本発明の第２実施形態に係る案内板の斜視図である。
【図１１】（ａ）本発明の第２実施形態に係る案内部を用いて厚い用紙を矯正部に案内する状態を示す部分図である。（ｂ）本発明の第２実施形態に係る案内部を用いて薄い用紙を矯正部に案内する状態を示す部分図である。
【図１２】本発明の第３実施形態に係る定着装置、案内部、及び矯正部の構成図である。
【図１３】（ａ）本発明の第３実施形態に係る案内部を用いて厚い用紙を矯正部に案内する状態を示す部分図である。（ｂ）本発明の第３実施形態に係る案内部を用いて薄い用紙を矯正部に案内する状態を示す部分図である。
【発明を実施するための形態】
【００２５】
本発明の実施形態に係る用紙案内装置、定着装置、及び画像形成装置の一例について説明する。
【００２６】
（全体構成）
図１には、画像形成装置の一例としての画像形成装置１０が示されている。画像形成装置１０は、用紙Ｙの一例である長尺でロール状に巻回されたロール紙Ｙ１又は定型サイズに予めカットされたカット紙Ｙ２に画像を形成するメインユニット１２と、メインユニット１２の下部に設けられロール紙Ｙ１をメインユニット１２に供給する２段のサブユニット１４、１６とで構成されている。図１では、矢印Ｘを右方向、矢印Ｚを上方向としている。なお、本実施形態における用紙Ｙとは、形態としてロール紙Ｙ１、カット紙Ｙ２に分類され、材質として普通紙（ｎ）、トレーシングペーパ（ｔ）、厚紙（ａ）、及びフィルム（ｆ）の分類を含むものである。このため、以後の説明では、用紙Ｙの表記方法として、サイズ（大きさ）に関わらず、例えば、用紙Ｙの形態がロール紙Ｙ１で材質が普通紙ｎの場合は用紙Ｙ１ｎと記載し、用紙Ｙの形態がカット紙Ｙ２で材質がトレーシングペーパの場合は用紙Ｙ２ｔというように記載する。また、用紙Ｙの区別が不要な場合は用紙Ｙと記載する。
【００２７】
メインユニット１２は、本体１２Ａを有している。本体１２Ａの底面には、サブユニット１４からロール紙Ｙ１が進入する進入口１５が形成されており、本体１２Ａの右側面には、カット紙Ｙ２が供給される供給口１７が形成されている。そして、本体１２Ａの左側面には、ロール紙Ｙ１又はカット紙Ｙ２が排出される排出口１８が形成されている。
【００２８】
また、本体１２Ａの内部には、画像形成部の一例としての画像形成ユニット２０と、画像形成ユニット２０を含む画像形成装置１０の各部の動作を制御すると共に後述する案内板７８（図３参照）の位置を制御する位置制御手段の一例としての画像形成制御部３０とが設けられている。
【００２９】
メインユニット１２の進入口１５から画像形成ユニット２０までには、ガイド板２５及び搬送ロール対２６で構成される搬送路２４と、画像形成ユニット２０に搬送される用紙Ｙの先端位置を予め定められた画像形成タイミングに合わせて調整する位置調整ロール対２８と、位置調整ロール対２８から画像形成ユニット２０に搬送される用紙Ｙを案内するガイド板３２とが設けられている。
【００３０】
また、メインユニット１２の供給口１７には、カット紙Ｙ２を供給するための供給台２２が設けられており、供給台２２から位置調整ロール対２８までには、ガイド板３４及び搬送ロール対３６で構成される搬送路３５が設けられている。なお、搬送路３５は、位置調整ロール対２８の手前側（搬送方向上流側）で搬送路２４に合流している。
【００３１】
一方、サブユニット１４、１６には、それぞれ２対のロール紙Ｙ１が装填されており、各ロール紙Ｙ１を引き出した先端位置には、画像形成タイミングに合わせてロール紙Ｙ１を送り出す送出ロール対３８がそれぞれ設けられている。また、サブユニット１４、１６には、鉛直方向（矢印Ｚ方向）に向けて搬送ロール対４２及びガイド板４４で構成される搬送路４５が設けられており、送出ロール対３８で送り出されたロール紙Ｙ１が搬送路４５を経由してメインユニット１２へ搬送されるようになっている。
【００３２】
さらに、サブユニット１４、１６には、メインユニット１２へ搬送されるロール紙Ｙ１を予め定められた複数の長さで切断するカッタ４６が設けられている。なお、各ロール紙Ｙ１の送り出しでは、１本のロール紙Ｙ１を使い終わったら次のロール紙Ｙ１を使用するようになっている。
【００３３】
図２に示すように、画像形成ユニット２０には、図示しない駆動手段によって矢印Ａ方向に回転する像保持体５２が設けられており、さらに、この像保持体５２の表面を帯電する帯電部材５４が設けられている。
【００３４】
また、帯電部材５４に対して像保持体５２の回転方向の下流側には、帯電部材５４によって表面が帯電した像保持体５２の表面に光を露光して静電潜像を形成する露光装置５６が設けられている。そして、露光装置５６に対して像保持体５２の回転方向の下流側には、像保持体５２の表面に形成された静電潜像を例えば黒色のトナーＴ（現像剤）で現像し、トナー画像として可視化する現像器５８が設けられている。
【００３５】
一方、搬送されてくる用紙Ｙを挟んで像保持体５２の反対側の位置には、像保持体５２の表面に形成されたトナー画像を用紙Ｙに転写するための転写部材６２が設けられている。さらに、転写部材６２に対して像保持体５２の回転方向の下流側には、像保持体５２の表面に接するクリーニング装置６４が設けられている。クリーニング装置６４は、像保持体５２から用紙Ｙに転写されずに像保持体５２の表面に残留した残留トナーＴ等を清掃する。
【００３６】
ここで、画像形成ユニット２０では、露光装置５６に画像データが順次入力されると、露光装置５６から画像データに応じて出射された光が、対応する像保持体５２の表面を露光し、像保持体５２の表面に静電潜像が形成される。そして、像保持体５２の表面に形成された静電潜像は、現像器５８によって黒色のトナー画像として現像される。さらに、像保持体５２の表面に形成されたトナー画像は、搬送されてきた用紙Ｙ上に、転写部材６２によって転写されるようになっている。
【００３７】
図１に示すように、用紙Ｙの搬送方向で画像形成ユニット２０の下流側には、画像形成された用紙Ｙを搬送する搬送ベルト６６が設けられている。そして、搬送ベルト６６の下流側には、ガイド板６８が設けられると共に、用紙Ｙ上にトナーを定着させる定着装置の一例としての定着部４０が設けられている。
【００３８】
定着部４０は、用紙Ｙのトナー画像面側に配置された加熱ロール７２と、用紙Ｙを加熱ロール７２に向けて加圧する加圧ロール７４とで構成されている。加熱ロール７２は、一例として、アルミニウム製の中空ロールの外周にシリコンゴムが被覆され、さらにシリコンゴムの外周にフッ素樹脂系の離型層が形成された構成となっており、内部に熱源となるハロゲンランプ７６が収容されている。このハロゲンランプ７６の点灯時の発熱によって加熱ロール７２の表面が加熱され、用紙Ｙ上のトナー画像が溶融及び定着されるようになっている。
【００３９】
加圧ロール７４は、一例として、アルミニウム製のロールの外周に加熱ロール７２のシリコンゴムよりもゴム硬度（ＪＩＳ＿Ｋ＿６２５３に準拠）の低いゴム層が被覆され、さらに該ゴム層の外周にフッ素樹脂系の離型層が形成された構成となっている。これにより、加熱ロール７２と加圧ロール７４とが接触する接触部の断面形状は、凹状（下側に凸）となっている。また、該接触部の出口側で且つ加熱ロール７２側には、加熱ロール７２への用紙Ｙの巻き付きを防ぐための分離爪８２が設けられている。
【００４０】
一方、用紙Ｙの搬送方向で定着部４０の下流側には、用紙Ｙの反りを矯正する矯正手段の一例としての矯正部６０が設けられている。そして、用紙Ｙの搬送方向において矯正部６０の上流側で且つ定着部４０の下流側には、用紙Ｙを矯正部６０に案内する用紙案内装置の一例としての用紙案内部５０が設けられており、用紙案内部５０は、用紙Ｙの矯正部６０への接触位置を用紙Ｙの種類に応じて変更する位置変更手段の一例としての案内板７８を有している。
【００４１】
図３及び図４（ａ）に示すように、矯正部６０は、搬送方向と交差する方向の用紙Ｙの幅よりも軸方向長さが長い第１ロール８４及び第２ロール８６を有している。第１ロール８４は、一例として鉄系の金属からなる芯金である軸部８４Ａの周囲に硬質ゴムが被覆された構成となっており、第２ロール８６は、一例として鉄系の金属からなる芯金である軸部８６Ａの周囲に第１ロール８４の硬質ゴムよりもゴム硬度（ＪＩＳ＿Ｋ＿６２５３に準拠）の低い軟質ゴムが被覆された構成となっている。
【００４２】
第１ロール８４の軸部８４Ａ、第２ロール８６の軸部８６Ａのそれぞれの両端部は、本体１２Ａ（図１参照）内に立設された一対の側板（図示省略）に設けられたベアリング（図示省略）で回転するように支持されており、第１ロール８４は第２ロール８６の鉛直上方に配置されている。さらに、第１ロール８４は、図示しない付勢手段（スプリング）により軸部８４Ａが軸部８６Ａに向けて付勢されることで、第１ロール８４の外周面が第２ロール８６の外周面と接触して接触部Ｎを形成している。
【００４３】
ここで、第１ロール８４の硬度が第２ロール８６の硬度よりも高いため、軸部８４Ａ及び軸部８６Ａの軸方向から見た第１ロール８４と第２ロール８６との接触部Ｎの形状は、凹状（下側に凸）となっている。なお、接触部Ｎにおける第１ロール８４と第２ロール８６との接触圧は、用紙Ｙの反りが矯正されるように予め定められている。
【００４４】
一方、矯正部６０の用紙Ｙの搬送方向下流側には、矯正部６０で矯正された用紙をさらに下流側に案内する案内部材の一例としてのガイド部材８８が設けられている。
【００４５】
ガイド部材８８は、矯正部６０で反りが矯正された用紙Ｙが案内されるように、下流側が上流側よりも低く配置された傾斜配置となっている。また、ガイド部材８８は、傾斜した面の第２ロール８６側（上流側）の端部が、搬送方向と交差する方向の両端部８８Ｃを残して矩形状に切り取られ、切欠部８８Ｂが形成されている。ここで、切欠部８８Ｂの搬送方向と交差する方向の切り欠き長さは、第２ロール８６の軸方向の長さよりも大きくなっており、ガイド部材８８は、切欠部８８Ｂ内に第２ロール８６の一部が収容され、両端部８８Ｃが第２ロール８６の軸部８６Ａよりも下側となるように配置されている。
（要部構成）
次に、用紙案内部５０について説明する。
【００４６】
図３に示すように、用紙案内部５０は、用紙Ｙを載せて上下動する案内板７８と、案内板７８を下側から上下動させるシャフト８１を備えた位置変更手段の一例としてのソレノイド８０とを有している。ここで、ソレノイド８０は、用紙の種類すなわち、大きさ、形態、材質、厚み等の少なくとも１つに応じて制御される。
【００４７】
図４（ｂ）に示すように、案内板７８は、用紙Ｙ（図４（ａ）参照）の搬送方向と交差する方向の長さが搬送方向の長さよりも長い板部７８Ａと、板部７８Ａにおける用紙Ｙの搬送方向の上流側の端部で且つ該搬送方向と交差する方向の両端部にそれぞれ突設された円柱状の軸部７８Ｂとで構成されている。また、案内板７８は、用紙Ｙの搬送方向における板部７８Ａの下流側の端部が、搬送方向と交差する方向の両端部７８Ｄを残して矩形状に切り取られ、切欠部７８Ｃが形成されている。
【００４８】
ここで、図４（ａ）に示すように、案内板７８は、切欠部７８Ｃに第２ロール８６の一部が収容されることにより、両端部７８Ｄが第２ロール８６の軸部８６Ａよりも上側となるように配置されている。これにより、図３に示すように、案内板７８は、板部７８Ａにおける用紙Ｙの搬送方向の下流側の端部が最も下側に位置した状態（ソレノイド８０のシャフト８１が最下点に位置した状態）で、該下流側の端部がガイド部材８８の上端８８ＡよりもΔｄだけ上方に位置するようになっている。
【００４９】
また、案内板７８の軸部７８Ｂは、用紙Ｙの搬送方向の矯正部６０よりも上流側に配置されると共に、図示しないブラケット及びベアリングにより回転するように支持されている。これにより、案内板７８は、軸部７８Ｂを支点として上下に揺動するようになっている。
【００５０】
一方、ソレノイド８０は、端子（図示省略）に電圧を印加したときには、磁界が発生してシャフト８１の突出長が短くなり、電圧の印加を停止したときには、内部に設けられたスプリング（図示省略）の付勢力によりシャフト８１の突出長が原点位置まで復帰する構成となっている。そして、ソレノイド８０は、板部７８Ａの軸部７８Ｂから離れた部分にシャフト８１の端部が接触している。
【００５１】
ここで、図５には、画像形成装置１０（図１参照）による画像形成を行うときに設定される用紙Ｙのサイズ、形態（材質含む）、厚みに基づいて、案内板７８を予め設定された位置へ揺動して位置決めする制御ブロック図が示されている。
【００５２】
画像形成制御部３０には、用紙Ｙのサイズ（例えば、Ａ０からＡ５、Ｂ０からＢ５の中から選択）と、用紙Ｙの形態及び材質の組合せ（例えば、形態がロール紙Ｙ１、カット紙Ｙ２から選択され、材質が普通紙ｎ、トレーシングペーパｔ、厚紙ａ、フィルムｆの中から選択された組合せ）とが予め登録された紙種テーブル３１が接続されている。また、紙種テーブル３１には、案内板７８（図３参照）の移動する位置を特定するための位置特定部３７が接続されている。
【００５３】
さらに、位置特定部３７には、案内板７８の移動する位置が記憶された位置メモリ３９と、ソレノイド８０（図３参照）に電圧を印加して駆動するためのソレノイド駆動部４１とが接続されている。位置メモリ３９には、一例として表１に示すように、用紙Ｙのサイズによって変更されず、用紙Ｙの形態及び材質の組合せで変更される案内板７８の位置の情報が記憶されている。そして、ソレノイド駆動部４１には、ソレノイド８０が接続されている。なお、表１における位置Ａとは、ソレノイド８０に電圧を印加しないときの案内板７８の位置であり、位置Ｂとは、ソレノイド８０に予め定められた電圧を印加したときの案内板７８の位置である。
【００５４】
【表１】
2011116494.tif 000003
【００５５】
一方、画像形成制御部３０は、一例として、用紙Ｙの搬送速度に基づいて画像形成された用紙Ｙが定着部４０（図１参照）から排出されるまでのタイムスケジュールが設定されている。
【００５６】
次に、第１実施形態の作用について説明する。
【００５７】
まず、用紙Ｙの一例として、サイズがＡ１、形態がロール紙Ｙ１、及び材質が普通紙の用紙Ｙ１ｎが用いられた場合の用紙案内部５０の作用について説明する。
【００５８】
図１に示すように、画像形成装置１０に設けられたコントロールパネル（図示省略）から画像形成制御部３０に画像形成指示があると、画像形成制御部３０では、用紙ＹのサイズがＡ１、形態がロール紙Ｙ１、及び材質が普通紙ｎであることを認識する。そして、図５に示すように、その結果を位置特定部３７へ送出する。位置特定部３７では、認識されたサイズがＡ１、形態がロール紙Ｙ１、材質が普通紙ｎの条件に基づいて、予め設定された位置メモリ３９（表１）から案内板７８の位置Ａの設定を読み出す。
【００５９】
続いて、位置特定部３７は、前記の位置Ａの設定に基づいてソレノイド８０へ電圧を印加しないようにソレノイド駆動部４１に設定する。これにより、ソレノイド８０への電圧の印加は行われず、ソレノイド８０は駆動されない。
【００６０】
一方、図２に示すように、画像形成ユニット２０では、帯電部材５４によって像保持体５２の表面が帯電される。そして、露光装置５６に画像データが順次出力されると、露光装置５６から画像データに応じて出射された光が対応する像保持体５２の表面を露光し、像保持体５２の表面に静電潜像が形成される。続いて、像保持体５２の表面に形成された静電潜像は、現像器５８によって黒色のトナー画像として現像され、該トナー画像は、搬送されてきた用紙Ｙ（Ｙ１ｎ）上に転写部材６２によって転写される。
【００６１】
続いて、図３に示すように、用紙Ｙ（Ｙ１ｎ）は、定着部４０において加熱ロール７２で加熱されると共に加圧ロール７４で加圧され、トナー画像が定着される。そして、トナー画像が定着された用紙Ｙ（Ｙ１ｎ）は、先端が分離爪８２に接触して加熱ロール７２から引き離され、用紙案内部５０に搬送される。
【００６２】
ここで、定着部４０を通過した用紙Ｙ（Ｙ１ｎ）は、定着部４０の鉛直方向の位置に比べて用紙案内部５０の鉛直方向の位置が低いため、先端が下側に垂れながら搬送される。これにより、図６（ｂ）の左側に示すように、用紙Ｙ１ｎ全体は鉛直方向の上側に凸となる反りが生じるが、用紙Ｙ１ｎは普通紙であり、トレーシングペーパを一例とする薄紙に比べると厚さが厚いため、剛性が高く、先端の反り量Ｃ１は薄紙に比べて小さくなる。なお、用紙Ｙの反り量は、用紙Ｙの先端部の水平面からの離間距離を測定することで得られる。
【００６３】
続いて、図６（ａ）に示すように、用紙案内部５０の案内板７８は、ソレノイド８０が駆動されていないため、第２ロール８６の軸方向から見て用紙Ｙ１ｎを載せる側の面と第２ロール８６の外周面とが交差する位置が、第１ロール８４と第２ロール８６との接触部Ｎの入口に近い位置Ａとなっている。これにより、用紙案内部５０に搬送されてきた用紙Ｙ１ｎは、接触部Ｎの手前側（搬送方向の上流側）で第２ロール８６に接触すると共に接触部Ｎに進入する。そして、接触部Ｎに進入した用紙Ｙ１ｎは、第１ロール８４及び第２ロール８６で挟まれることにより加圧され、接触部Ｎの断面形状（下側に凸）に倣う方向に矯正される。
【００６４】
ここで、図６（ｂ）に示すように、用紙Ｙ１ｎは、接触部Ｎの通過前は上側に凸で反り量Ｃ１の反り状態となっていたが、接触部Ｎにおいて下側に凸となるように加圧されて反りが矯正されるため、反り量はＣ１からＣ２（＜Ｃ１）に減少する。このように、厚さが比較的厚い用紙Ｙ１ｎのときは、用紙Ｙ１ｎの剛性が高く反り量が小さいので、接触部Ｎ（図６（ａ）参照）に近い位置Ａから用紙Ｙ１ｎを進入させることで、用紙Ｙ１ｎの過剰な矯正が低減される。
【００６５】
次に、用紙Ｙの他の一例として、サイズがＡ４、形態がカット紙Ｙ２、及び材質がトレーシングペーパｔの用紙Ｙ２ｔが用いられた場合の用紙案内部５０の作用について説明する。
【００６６】
図１に示すように、画像形成装置１０に設けられたコントロールパネル（図示省略）から画像形成制御部３０に画像形成指示があると、画像形成制御部３０では、用紙ＹのサイズがＡ４、形態がカット紙Ｙ２、及び材質がトレーシングペーパｔであることを認識する。そして、図５に示すように、その結果を位置特定部３７へ送出する。位置特定部３７では、認識されたサイズがＡ４、形態がカット紙Ｙ２、材質がトレーシングペーパｔの条件に基づいて、予め設定された位置メモリ３９（表１）から案内板７８の位置Ｂの設定を読み出す。
【００６７】
続いて、位置特定部３７は、前記の位置Ｂの設定に基づいてソレノイド駆動部４１を作動させ、ソレノイド駆動部４１は、ソレノイド８０に電圧を印加して駆動する。
【００６８】
一方、図２に示すように、画像形成ユニット２０では、帯電部材５４によって像保持体５２の表面が帯電される。そして、露光装置５６に画像データが順次出力されると、露光装置５６から画像データに応じて出射された光が対応する像保持体５２の表面を露光し、像保持体５２の表面に静電潜像が形成される。続いて、像保持体５２の表面に形成された静電潜像は、現像器５８によって黒色のトナー画像として現像され、該トナー画像は、搬送されてきた用紙Ｙ（Ｙ２ｔ）上に転写部材６２によって転写される。
【００６９】
続いて、図３に示すように、用紙Ｙ（Ｙ２ｔ）は、定着部４０において加熱ロール７２で加熱されると共に加圧ロール７４で加圧され、トナー画像が定着される。そして、トナー画像が定着された用紙Ｙ（Ｙ２ｔ）は、先端が分離爪８２に接触して加熱ロール７２から引き離され、用紙案内部５０に搬送される。
【００７０】
ここで、定着部４０を通過した用紙Ｙ（Ｙ２ｔ）は、定着部４０の鉛直方向の位置に比べて用紙案内部５０の鉛直方向の位置が低いため、先端が下側に垂れながら搬送される。これにより、図７（ｂ）の左側に示すように、用紙Ｙ２ｔ全体は鉛直方向の上側に凸となる反りが生じる。そして、用紙Ｙ２ｔはトレーシングペーパであり、普通紙に比べると厚さが薄いため、剛性が低くなっており、反り量Ｃ３は、前述の用紙Ｙ１ｎの反り量Ｃ１（図６（ｂ）参照）に比べて大きくなる。
【００７１】
続いて、図７（ａ）に示すように、用紙案内部５０の案内板７８は、ソレノイド８０が駆動されてシャフト８１の突出量が短くなっているため、案内板７８の先端が下がる。このため、第２ロール８６の軸方向から見て用紙Ｙ２ｔを載せる側の面と第２ロール８６の外周面とが交差する位置が、前述の位置Ａ（図６（ａ）参照）に比べて接触部Ｎから遠い位置Ｂとなっている。これにより、用紙案内部５０に搬送されてきた用紙Ｙ２ｔは、接触部Ｎの手前側（搬送方向の上流側）で先端部が第２ロール８６の外周面に接触すると共に、外周面に沿って反り方向とは反対方向である上方へ向けて用紙Ｙ１ｎのときよりも大きく変形され、接触部Ｎへの進入角度が搬送途中の傾斜角度に対して変化した状態で第２ロール８６に接触して接触部Ｎに進入する。そして、接触部Ｎに進入した用紙Ｙ２ｔは、第１ロール８４及び第２ロール８６で挟まれることにより加圧され、接触部Ｎの断面形状（下側に凸）に倣う方向に矯正される。
【００７２】
ここで、図７（ｂ）に示すように、用紙Ｙ２ｔは、接触部Ｎの通過前は上側に凸で反り量Ｃ３の反り状態となっていたが、接触部Ｎにおいて下側に凸となるように加圧されて反りが矯正されるため、反り量はＣ３からＣ４（＜Ｃ３）に減少する。このように、厚さが普通紙よりも薄いトレーシングペーパである用紙Ｙ２ｔのときは、用紙Ｙ２ｔの剛性が低く反り量がＣ３と大きいが、接触部Ｎ（図７（ａ）参照）から遠い位置Ｂに先端部を接触させると共に変形させて接触部Ｎに用紙Ｙ２ｔを進入させているので、接触部Ｎに進入する前から反り方向とは反対側の方向に用紙Ｙ２ｔが矯正される（即ち、矯正の経路が長くなる）。これにより、反り量がＣ３からＣ４に低減される。
【００７３】
なお、用紙案内部５０は、矯正部６０から遠い方にある案内板７８の端部（軸部７８Ｂ）が支持されてその端部の位置が変わらないので、ソレノイド８０に電圧を印加してシャフト８１を下げ、案内板７８が自重で下がった場合でも、定着部４０（図３参照）から排出された用紙Ｙ２ｔの先端が案内板７８の端部に引っ掛かりにくくなっている。これにより、矯正部６０への用紙Ｙ２ｔの案内不良が低減されている。また、案内板７８は上下に移動するようになっているため、予め設定された矯正部６０の狙いの接触位置に用紙Ｙ２ｔが接触する。
【００７４】
さらに、用紙案内部５０は、案内板７８が下がった状態でもガイド部材８８より上方に位置しているので、案内板７８通過後の用紙Ｙ２ｔがガイド部材８８の端部（上端８８Ａ）に引っ掛かりにくくなっている。また、用紙案内部５０は、画像形成制御部３０（図５参照）により案内板７８の位置Ａ、Ｂが自動で制御されるので、用紙に合わせて案内板７８を手動で位置変更する必要が無い。
【００７５】
ここで、図８（ａ）に示すように、第１実施形態の用紙案内部５０（図３参照）の他の第１実施例として、例えば、案内板７８の軸部７８Ｂの端部にステッピングモータ９２を設けて、軸部７８Ｂを予め定められた回転量で揺動することで、案内板７８の位置を変更してもよい。
【００７６】
また、図８（ｂ）に示すように、第１実施形態の用紙案内部５０（図３参照）の他の第２実施例として、例えば、案内板７８の下面側に偏心カム９４を回転するように設けて、該偏心カム９４をステッピングモータ９６により予め定められた回転量で円弧状に回すことで、案内板７８の位置を変更してもよい。
【００７７】
さらに、図８（ｃ）に示すように、第１実施形態の用紙案内部５０（図３参照）の他の第３実施例として、端部に軸部が設けられていない案内板９７と、案内板９７の下面にシャフト９９が取り付けられたソレノイド９８とを設けて、ソレノイド９８に印加する電圧を変更して案内板９７を昇降させ、案内板９７の位置を変更するようにしてもよい。なお、ソレノイド９８及びシャフト９９は、鉛直方向と交差する方向を軸方向として設置してもよい。
【００７８】
次に、用紙案内装置、定着装置、及び画像形成装置の第２実施形態について説明する。なお、前述した第１実施形態と基本的に同じ部品には、前記第１実施形態と同じ符号を付与してその説明を省略する。
【００７９】
図９には、第２実施形態の画像形成装置１００の部分図が示されている。画像形成装置１００は、定着部４０と矯正部６０を有しており、さらに、前述の画像形成装置１０（図１参照）の用紙案内部５０（図１参照）に換えて用紙案内部１１０が設けられた構成となっている。なお、画像形成装置１００では、画像形成装置１０のガイド部材８８は設けられていない。
【００８０】
用紙案内部１１０は、用紙Ｙを載せて上下動する位置変更手段の一例としての案内板１０２と、案内板１０２を下側から上下動させるシャフト８１を備えたソレノイド８０とを有している。
【００８１】
図１０（ｂ）に示すように、案内板１０２は、用紙Ｙ（図１０（ａ）参照）の搬送方向と交差する方向の長さが搬送方向の長さよりも長い板部１０２Ａと、板部１０２Ａにおける用紙Ｙの搬送方向の上流側の端部で且つ該搬送方向と交差する方向の両端部にそれぞれ突設された円柱状の軸部１０２Ｂとで構成されている。また、案内板１０２は、用紙Ｙの搬送方向における板部１０２Ａの中央から下流側までの一部の部位が、搬送方向と交差する方向の両端部１０２Ｄを残して矩形状に切り取られ、開口部１０２Ｃが形成されている。
【００８２】
ここで、図１０（ａ）に示すように、案内板１０２は、開口部１０２Ｃ内に第２ロール８６の一部が収容されることにより、両端部１０２Ｄが第２ロール８６の軸部８６Ａ（図９参照）よりも上側となるように配置されている。
【００８３】
また、案内板１０２の軸部１０２Ｂは、用紙Ｙの搬送方向の矯正部６０よりも上流側に配置されると共に、図示しないブラケット及びベアリングにより回転するように支持されている。これにより、案内板１０２は、軸部１０２Ｂを支点として上下に揺動するようになっている。なお、画像形成装置１００は、画像形成制御部３０（図５参照）を有しており、ソレノイド８０は、ソレノイド駆動部４１（図５参照）から電圧を印加されることにより駆動されるようになっている。
【００８４】
次に、第２実施形態の作用について説明する。
【００８５】
まず、用紙Ｙの一例として、サイズがＡ１、形態がロール紙Ｙ１、及び材質が普通紙の用紙Ｙ１ｎが用いられた場合の用紙案内部１１０の作用について説明する。
【００８６】
画像形成装置１００に設けられたコントロールパネル（図示省略）から画像形成制御部３０（図５参照）に画像形成指示があると、画像形成制御部３０は、用紙ＹのサイズがＡ１、形態がロール紙Ｙ１、材質が普通紙ｎであることを認識する。そして、図５に示すように、その結果を位置特定部３７へ送出する。位置特定部３７では、認識されたサイズがＡ１、形態がロール紙Ｙ１、材質が普通紙ｎの条件に基づいて、予め設定された位置メモリ３９（表１）から案内板１０２の位置Ａの設定を読み出す。
【００８７】
続いて、位置特定部３７は、前記の位置Ａの設定に基づいてソレノイド８０へ電圧を印加しないようにソレノイド駆動部４１に設定する。これにより、ソレノイド８０への電圧の印加は行われず、ソレノイド８０は駆動されない。
【００８８】
一方、図２に示すように、画像形成ユニット２０では、帯電、露光、現像、転写の各画像形成工程が行われ、黒色のトナー画像が、搬送されてきた用紙Ｙ（Ｙ１ｎ）上に転写される。続いて、図３に示すように、用紙Ｙ（Ｙ１ｎ）は、定着部４０においてトナー画像が定着される。そして、トナー画像が定着された用紙Ｙ（Ｙ１ｎ）は、用紙案内部５０に搬送される。
【００８９】
ここで、定着部４０を通過した用紙Ｙ（Ｙ１ｎ）は、定着部４０の鉛直方向の位置に比べて用紙案内部５０の鉛直方向の位置が低いため、先端が下側に垂れながら搬送される。これにより用紙Ｙ（Ｙ１ｎ）全体は鉛直方向の上側に凸となる反りが生じるが、用紙Ｙ１ｎは普通紙であり、トレーシングペーパを一例とする薄紙に比べると厚さが厚いため、剛性が高く、先端の反り量は薄紙に比べて小さくなる。
【００９０】
続いて、図１１（ａ）に示すように、用紙案内部１１０の案内板１０２は、ソレノイド８０が駆動されていないため、第２ロール８６の軸方向から見て用紙Ｙ１ｎを載せる側の面と第２ロール８６の外周面とが交差する位置が、第１ロール８４と第２ロール８６との接触部Ｎの入口に近い位置Ａとなっている。これにより、用紙案内部１１０に搬送されてきた用紙Ｙ１ｎは、接触部Ｎの手前側（搬送方向の上流側）で第２ロール８６に接触すると共に接触部Ｎに進入する。そして、接触部Ｎに進入した用紙Ｙ１ｎは、第１ロール８４及び第２ロール８６で挟まれることにより加圧され、接触部Ｎの断面形状（下側に凸）に倣う方向に矯正されて、反り量が低減される。
【００９１】
続いて、第１ロール８４と第２ロール８６との接触部Ｎを通過した用紙Ｙ１ｎは、矯正部６０における搬送方向の下流側まで延在している案内板１０２の上面に再度接触して、下流側に案内される。
【００９２】
次に、用紙Ｙの他の一例として、サイズがＡ４、形態がカット紙Ｙ２、及び材質がトレーシングペーパｔの用紙Ｙ２ｔが用いられた場合の用紙案内部１１０の作用について説明する。
【００９３】
画像形成装置１００に設けられたコントロールパネル（図示省略）から画像形成制御部３０（図５参照）に画像形成指示があると、画像形成制御部３０は、用紙ＹのサイズがＡ４、形態がカット紙Ｙ２、及び材質がトレーシングペーパｔであることを認識する。そして、図５に示すように、その結果を位置特定部３７へ送出する。位置特定部３７では、認識されたサイズがＡ４、形態がカット紙Ｙ２、材質がトレーシングペーパｔの条件に基づいて、予め設定された位置メモリ３９（表１）から案内板１０２の位置Ｂの設定を読み出す。
【００９４】
続いて、位置特定部３７は、前記の位置Ｂの設定に基づいてソレノイド駆動部４１を作動させ、ソレノイド駆動部４１は、ソレノイド８０に電圧を印加して駆動する。
【００９５】
一方、図２に示すように、画像形成ユニット２０では、帯電、露光、現像、転写の各画像形成工程が行われ、黒色のトナー画像が、搬送されてきた用紙Ｙ（Ｙ２ｔ）上に転写される。続いて、図３に示すように、用紙Ｙ（Ｙ２ｔ）は、定着部４０においてトナー画像が定着される。そして、トナー画像が定着された用紙Ｙ（Ｙ２ｔ）は、用紙案内部１１０に搬送される。
【００９６】
ここで、定着部４０を通過した用紙Ｙ（Ｙ２ｔ）は、定着部４０の鉛直方向の位置に比べて用紙案内部５０の鉛直方向の位置が低いため、先端が下側に垂れながら搬送される。これにより、用紙Ｙ（Ｙ２ｔ）全体は鉛直方向の上側に凸となる反りが生じる。そして、用紙Ｙ（Ｙ２ｔ）はトレーシングペーパであり、普通紙に比べると厚さが薄いため、剛性が低くなっており、先端の反り量が前述の用紙Ｙ１ｎ（図１１（ａ）参照）の反り量に比べて大きくなる。
【００９７】
続いて、図１１（ｂ）に示すように、用紙案内部１１０の案内板１０２は、ソレノイド８０が駆動されてシャフト８１の突出量が短くなっているため、案内板１０２の先端が下がる。このため、第２ロール８６の軸方向から見て用紙Ｙ２ｔを載せる側の面と第２ロール８６の外周面とが交差する位置が、前述の位置Ａ（図１１（ａ）参照）に比べて接触部Ｎから遠い位置Ｂとなっている。これにより、用紙案内部１１０に搬送されてきた用紙Ｙ２ｔは、接触部Ｎの手前側（搬送方向の上流側）で先端部が第２ロール８６の外周面に接触すると共に、外周面に沿って反り方向とは反対方向である上方へ向けて用紙Ｙ１ｎのときよりも大きく変形され、接触部Ｎへの進入角度が搬送途中の傾斜角度に対して変化した状態で第２ロール８６に接触して接触部Ｎに進入する。そして、接触部Ｎに進入した用紙Ｙ２ｔは、第１ロール８４及び第２ロール８６で挟まれることにより加圧され、接触部Ｎの断面形状（下側に凸）に倣う方向に矯正されて、反り量が低減される。
【００９８】
続いて、第１ロール８４と第２ロール８６との接触部Ｎを通過した用紙Ｙ２ｔは、矯正部６０における搬送方向の下流側まで延在している案内板１０２の上面に再度接触して下流側に案内される。このように、用紙案内部１１０では、矯正部６０の下流側まで案内板１０２が延在しているので、矯正部６０におけるガイド部材が不要となる。
【００９９】
次に、用紙案内装置、定着装置、及び画像形成装置の第３実施形態について説明する。なお、前述した第１、第２実施形態と基本的に同じ部品には、前記第１、第２実施形態と同じ符号を付与してその説明を省略する。
【０１００】
図１２には、第３実施形態の画像形成装置１２０の部分図が示されている。画像形成装置１２０は、矯正部６０を有しており、前述の画像形成装置１０（図１参照）の定着部４０及び用紙案内部５０に換えて、着脱される定着装置１３０と定着装置１３０内に設けられた用紙案内部１４０とを備えた構成となっている。なお、画像形成装置１２０は、矯正部６０にガイド部材１２８が設けられており、ガイド部材１２８は第２ロール８６の軸部８６Ａよりも下側に配置されている。
【０１０１】
定着装置１３０は、一対の側壁に用紙Ｙが進入する進入口１２２Ａと用紙Ｙが排出される排出口１２２Ｂとが形成された筐体１２２を有している。進入口１２２Ａの下縁には、用紙Ｙを筐体１２２内へ案内する板状のガイド部材１２６が設けられている。そして、筐体１２２の内部には、加熱ロール７２、加圧ロール７４、ハロゲンランプ７６、分離爪８２、ブラケット１２３、及び用紙案内部１４０が設けられている。なお、用紙案内部１４０は、筐体１２２の内部で用紙Ｙの搬送方向における加熱ロール７２及び加圧ロール７４の下流側に設けられている。
【０１０２】
また、画像形成装置１２０には、定着装置１３０が装着又は離脱されるレール部材１２４が設けられている。レール部材１２４は、用紙Ｙの搬送方向と交差する方向に並んだ固定レール１２４Ａと可動レール１２４Ｂとで構成されている。固定レール１２４Ａは、用紙Ｙの搬送方向と交差する方向から見てＬ字状の断面形状となっており、矯正部６０に近い側に固定されている。また、可動レール１２４Ｂは、用紙Ｙの搬送方向と交差する方向から見てＬ字状の断面形状となっており、画像形成ユニット２０（図２参照）に近い側に配置されると共に、水平方向に移動可能に設けられている。
【０１０３】
ここで、画像形成装置１２０に定着装置１３０を取り付けるときは、可動レール１２４Ｂを水平方向にずらした状態で、固定レール１２４Ａに沿って定着装置１３０を画像形成装置１２０内に挿入する。そして、可動レール１２４Ｂを固定レール１２４Ａに向けて移動させることにより、固定レール１２４Ａ及び可動レール１２４Ｂで定着装置１３０を支持して取り付けを完了する。なお、画像形成装置１２０から定着装置１３０を離脱させるときは、この手順とは逆の手順で行えばよい。
【０１０４】
一方、ブラケット１２３は、筐体１２２内の底面に搬送方向と交差する方向で対向して立設された一対の板材であり、各ブラケット１２３にはベアリング（図示省略）が取り付けられている。
【０１０５】
用紙案内部１４０は、用紙Ｙを載せて上下動する案内板７８と、案内板７８を下側から上下動させるシャフト８１を備えたソレノイド８０とを有している。案内板７８の軸部７８Ｂは、各ブラケット１２３のベアリングに挿通されて回転するように支持されている。そして、ソレノイド８０は、筐体１２２の底面側に固定されている。
【０１０６】
なお、画像形成装置１２０に定着装置１３０が取り付けられた状態では、案内板７８の切欠部７８Ｃ（図４（ｂ）参照）内に第２ロール８６が配置され、案内板７８で案内された用紙Ｙが矯正部６０の接触部Ｎに進入するようになっている。また、案内板７８の下端は、板部７８Ａにおける用紙Ｙの搬送方向の下流側の端部が最も下側に位置した状態（ソレノイド８０のシャフト８１が最下点に位置した状態）で、該下流側の端部がガイド部材１２８の上端よりも高さΔｄだけ上方に位置するように配置されている。
【０１０７】
次に、第３実施形態の作用について説明する。
【０１０８】
まず、用紙Ｙの一例として、サイズがＡ１、形態がロール紙Ｙ１、及び材質が普通紙の用紙Ｙ１ｎが用いられた場合の用紙案内部１４０の作用について説明する。
【０１０９】
画像形成装置１２０に設けられたコントロールパネル（図示省略）から画像形成制御部３０（図５参照）に画像形成指示があると、画像形成制御部３０は、用紙ＹのサイズがＡ１、形態がロール紙Ｙ１、及び材質が普通紙ｎであることを認識する。そして、図５に示すように、その結果を位置特定部３７へ送出する。位置特定部３７では、認識されたサイズがＡ１、形態がロール紙Ｙ１、及び材質が普通紙ｎの条件に基づいて、予め設定された位置メモリ３９（表１）から案内板７８の位置Ａの設定を読み出す。
【０１１０】
続いて、位置特定部３７は、前記の位置Ａの設定に基づいてソレノイド８０へ電圧を印加しないようにソレノイド駆動部４１に設定する。これにより、ソレノイド８０への電圧の印加は行われず、ソレノイド８０は駆動されない。
【０１１１】
一方、図２に示すように、画像形成ユニット２０では、帯電、露光、現像、転写の各画像形成工程が行われ、黒色のトナー画像が、搬送されてきた用紙Ｙ（Ｙ１ｎ）上に転写される。続いて、図１２に示すように、用紙Ｙ（Ｙ１ｎ）は、定着装置１３０の加熱ロール７２及び加圧ロール７４によってトナー画像が定着される。そして、トナー画像が定着された用紙Ｙ（Ｙ１ｎ）は、用紙案内部１４０に搬送される。
【０１１２】
ここで、加熱ロール７２及び加圧ロール７４を通過した用紙Ｙ（Ｙ１ｎ）は、加熱ロール７２と加圧ロール７４との接触部の鉛直方向の位置に比べて用紙案内部１４０の鉛直方向の位置が低いため、先端が下側に垂れながら搬送される。これにより用紙Ｙ（Ｙ１ｎ）全体は鉛直方向の上側に凸となる反りが生じるが、用紙Ｙ（Ｙ１ｎ）は普通紙であり、トレーシングペーパを一例とする薄紙に比べると厚さが厚いため、剛性が高く、先端の反り量は比較的小さくなる。
【０１１３】
続いて、図１３（ａ）に示すように、用紙案内部１１０の案内板７８は、ソレノイド８０が駆動されていないため、第２ロール８６の軸方向から見て用紙Ｙ１ｎを載せる側の面と第２ロール８６の外周面とが交差する位置が、第１ロール８４と第２ロール８６との接触部Ｎの入口に近い位置Ａとなっている。これにより、用紙案内部１４０に搬送されてきた用紙Ｙ１ｎは、筐体１２２の排出口１２２Ｂから排出されると共に、接触部Ｎの手前側（搬送方向の上流側）で第２ロール８６に接触すると共に接触部Ｎに進入する。そして、接触部Ｎに進入した用紙Ｙ１ｎは、第１ロール８４及び第２ロール８６で挟まれることにより加圧され、接触部Ｎの断面形状（下側に凸）に倣う方向に矯正されて、反り量が低減される。
【０１１４】
続いて、第１ロール８４と第２ロール８６との接触部Ｎを通過した用紙Ｙ１ｎは、矯正部６０におけるガイド部材１２８の上面に接触して下流側に案内される。
【０１１５】
次に、用紙Ｙの他の一例として、サイズがＡ４、形態がカット紙Ｙ２、及び材質がトレーシングペーパｔの用紙Ｙ２ｔが用いられた場合の用紙案内部１４０の作用について説明する。
【０１１６】
画像形成装置１００に設けられたコントロールパネル（図示省略）から画像形成制御部３０（図５参照）に画像形成指示があると、画像形成制御部３０は、用紙ＹのサイズがＡ４、形態がカット紙Ｙ２、及び材質がトレーシングペーパｔであることを認識する。そして、図５に示すように、その結果を位置特定部３７へ送出する。位置特定部３７では、認識されたサイズがＡ４、形態がカット紙Ｙ２、材質がトレーシングペーパｔの条件に基づいて、予め設定された位置メモリ３９（表１）から案内板７８の位置Ｂの設定を読み出す。
【０１１７】
続いて、位置特定部３７は、前記の位置Ｂの設定に基づいてソレノイド駆動部４１を作動させ、ソレノイド駆動部４１は、ソレノイド８０に電圧を印加して駆動する。
【０１１８】
一方、図２に示すように、画像形成ユニット２０では、帯電、露光、現像、転写の各画像形成工程が行われ、黒色のトナー画像が、搬送されてきた用紙Ｙ（Ｙ２ｔ）上に転写される。続いて、図１２に示すように、用紙Ｙ２ｔは、定着装置１３０の加熱ロール７２及び加圧ロール７４によってトナー画像が定着される。そして、トナー画像が定着された用紙Ｙ２ｔは、用紙案内部１４０に搬送される。
【０１１９】
ここで、加熱ロール７２及び加圧ロール７４を通過した用紙Ｙ２ｔは、加熱ロール７２と加圧ロール７４との接触部の鉛直方向の位置に比べて用紙案内部１４０の鉛直方向の位置が低いため、先端が下側に垂れながら搬送される。これにより用紙Ｙ２ｔ全体は鉛直方向の上側に凸となる反りが生じる。そして、用紙Ｙ２ｔはトレーシングペーパであり、普通紙に比べると厚さが薄いため、剛性が低くなっており、先端の反り量は前述の用紙Ｙ１ｎ（図１３（ａ）参照）の反り量に比べて大きくなる。
【０１２０】
続いて、図１３（ｂ）に示すように、用紙案内部１４０の案内板７８は、ソレノイド８０が駆動されてシャフト８１の突出量が短くなっているため、案内板７８の先端が下がる。このため、第２ロール８６の軸方向から見て用紙Ｙ２ｔを載せる側の面と第２ロール８６の外周面とが交差する位置が、前述の位置Ａ（図１３（ａ）参照）に比べて接触部Ｎから遠い位置Ｂとなっている。これにより、用紙案内部１４０に搬送されてきた用紙Ｙ２ｔは、筐体１２２の排出口１２２Ｂから排出されると共に、接触部Ｎの手前側（搬送方向の上流側）で先端部が第２ロール８６の外周面に接触し、外周面に沿って反り方向とは反対方向である上方へ向けて用紙Ｙ１ｎのときよりも大きく変形され、接触部Ｎへの進入角度が搬送途中の傾斜角度に対して変化した状態で第２ロール８６に接触して接触部Ｎに進入する。そして、接触部Ｎに進入した用紙Ｙ２ｔは、第１ロール８４及び第２ロール８６で挟まれることにより加圧され、接触部Ｎの断面形状（下側に凸）に倣う方向に矯正されて、反り量が低減される。
【０１２１】
続いて、第１ロール８４と第２ロール８６との接触部Ｎを通過した用紙Ｙ２ｔは、矯正部６０におけるガイド部材１２８の上面に接触して下流側に案内される。このように、定着装置１３０の内部に用紙案内部１４０を設けることにより、用紙案内部１４０と定着装置１３０を別々に設けた場合に比べて、用紙案内部１４０の部品数が少なくて済む。
【０１２２】
なお、本発明は上記の実施形態に限定されない。
【０１２３】
画像形成装置１０、１００、１２０は、黒色のトナーＴを用いた単色の画像形成を行うものだけでなく、例えば、イエロー、マゼンタ、シアン、黒の４色のトナーに対応して４つの画像形成ユニット２０を設けて、カラーの画像形成を行うものであってもよい。
【０１２４】
表１に示すように、用紙Ｙの材質は、普通紙ｎ、トレーシングペーパｔの他に厚紙ａ、フィルムｆであってもよい。また、用紙Ｙのサイズは、Ａ０からＡ５、Ｂ０からＢ５の他のサイズであってもよい。さらに、サイズに関わらず用紙Ｙの材質のみに着目して表１を構成してもよく、また、用紙Ｙのサイズに合わせて案内板７８、１０２の位置を変更してもよい。なお、用紙Ｙは、形態がカット紙Ｙ２のときには巻き癖がつかないが、ロール紙Ｙ１のときに巻き癖がつくため、用紙Ｙの形態に合わせて案内板７８、１０２の位置を変更してもよい。
【０１２５】
画像形成ユニット２０は、帯電、露光、現像、転写の工程を行う電子写真方式のものに限らず、液滴を吐出する液滴吐出装置であってもよい。また、定着部４０は、加熱ロール７２及び加圧ロール７４を用いたロール方式のものに限らず、例えば、ベルト搬送方式の定着装置や、ランプを用いたフラッシュ定着方式の定着装置であってもよい。
【０１２６】
矯正部６０は、画像形成装置１０に固定されるものだけでなく、画像形成装置１０に着脱可能なユニットで構成されていてもよい。なお、第１ロール８４及び第２ロール８６は、それぞれ１本のロールに限定されず、用紙Ｙの搬送方向と交差する方向に短いロール対を複数配置した構成であってもよい。なお、この場合、案内板７８として、これら複数のロール対の隙間を上方から覆う複数の凸部が形成された櫛歯状の板材を用いればよい。
【０１２７】
案内板７８は、平板状のものに限らず、下側に凸又は上側に凸となるように湾曲させたものであってもよい。また、案内板７８は手動で移動させてもよい。さらに、案内板７８の移動位置は、位置Ａ、位置Ｂの２段階だけでなく、２段階以上の複数段階で設定されてもよい。例として、シャフト８１の突出位置が異なるソレノイド８０を２個設置したり、図８（ａ）、（ｂ）の構成にソレノイド８０を組み合せたり、あるいは、原点位置から正、負の２方向に移動する３段式のソレノイドを用いることで、案内板７８の移動位置は３箇所で設定される。
【０１２８】
定着装置１３０は、案内板７８に換えて案内板１０２を設けてもよい。この場合、開口部１０２Ｃを大きくして、第１ロール８４及び第２ロール８６の上方から案内板１０２を外挿して定着装置１３０を装着すればよい。
【符号の説明】
【０１２９】
１０  画像形成装置
２０  画像形成ユニット（画像形成部）
３０  画像形成制御部（位置制御手段）
３１  紙種テーブル（位置制御手段）
３７  位置特定部（位置制御手段）
３９  位置メモリ（位置制御手段）
４０  定着部
４１  ソレノイド駆動部（位置制御手段）
５０  用紙案内部（用紙案内装置）
６０  矯正部（矯正手段）
７８  案内板（位置変更手段、移動部材）
７８Ｂ  軸部（支点）
８０  ソレノイド（位置変更手段）
８８  ガイド部材（案内部材）
１００  画像形成装置
１０２  案内板（位置変更手段、移動部材）
１１０  用紙案内部（用紙案内装置）
１２０  画像形成装置
１３０  定着装置
１４０  用紙案内部（用紙案内装置）
Ｙ  用紙
【図１】
2011116494.tif 000004
【図２】
2011116494.tif 000005
【図３】
2011116494.tif 000006
【図４】
2011116494.tif 000007
【図５】
2011116494.tif 000008
【図６】
2011116494.tif 000009
【図７】
2011116494.tif 000010
【図８】
2011116494.tif 000011
【図９】
2011116494.tif 000012
【図１０】
2011116494.tif 000013
【図１１】
2011116494.tif 000014
【図１２】
2011116494.tif 000015
【図１３】
2011116494.tif 000016